(57)【要約】【課題】    フランジの強度を低下させることなく、部品点数、または作業工数を低減させることができるリール及び記録テープカートリッジを得る。【解決手段】  ハブ４０と下フランジ４６と上フランジ４８とを一体成形することで、リール１０を組み立てる手間が省け、作業工数を削減することができると共に、部品点数も少なくなるため、コストダウンを図ることができる。また、上フランジ４８及び下フランジ４６を一枚の板材で形成しているため、剛性も十分に確保することができる。【選択図】      図３
2007066466.tif 000002
【特許請求の範囲】
【請求項１】
記録テープが巻回される略円筒状のハブと、
前記ハブの一端側に設けられた環状の下フランジと、
前記ハブの他端側に設けられ、前記ハブに巻き回された記録テープの幅方向端部を前記下フランジと共に保持する環状の上フランジと、
を備え、
前記ハブと前記下フランジと前記上フランジとを一体成形したことを特徴とするリール。
【請求項２】
前記ハブの軸方向に対して直交する方向に沿ってスライドし、ハブの外周面と前記上フランジ及び前記下フランジの内面を形成するスライド金型と、
前記ハブの内周面及び前記上フランジの外面を形成する可動金型と、
前記下フランジの外面を形成する固定金型と、
で構成された金型で成形されることを特徴とする請求項１に記載のリール。
【請求項３】
請求項１又は２に記載のリールを備えたことを特徴とする記録テープカートリッジ。
【発明の詳細な説明】
【技術分野】
【０００１】
本発明は、磁気テープ等の記録テープを巻き回すリール及び記録テープカートリッジに関する。
【背景技術】
【０００２】
コンピュータ等の外部記録媒体として、例えば、磁気テープを巻装したリールをケース内に収容した記録テープカートリッジが知られている。リールは、その軸心部を構成し外周に磁気テープが巻き回されるハブと、ハブの軸線方向両端からそれぞれ径方向外側に張り出した一対のフランジを備えている。
【０００３】
このような記録テープカートリッジのリールにおいて、従来では一般的に、下フランジとハブが一体に構成され、該ハブの他端側に上フランジを接着や溶着あるいは嵌着する構成が採用されていたが、このようにリールが組み立て構造であると、部品点数、作業工数のいずれも増加するため、コストアップにつながる。
【０００４】
このため、例えば、特許文献１では、ハブと下フランジ及び上フランジを一体成形させるために、平面視にて上フランジと下フランジが互いに重ならないように、所定角度毎に上下交互に配置されるようにしている。
【０００５】
しかしながら、上フランジ及び下フランジの強度は従来と比較して大幅に低下し、また、面振れの調整も困難である。
【特許文献１】実開平６−６８１７９号公報
【発明の開示】
【発明が解決しようとする課題】
【０００６】
本発明は、上記事実を考慮して、フランジの強度を低下させることなく、部品点数、または作業工数を低減させることができるリール及び記録テープカートリッジを得ることが目的である。
【課題を解決するための手段】
【０００７】
上記目的を達成するために、請求項１に記載の発明は、リールにおいて、記録テープが巻回される略円筒状のハブと、前記ハブの一端側に設けられた環状の下フランジと、前記ハブの他端側に設けられ、前記ハブに巻き回された記録テープの幅方向端部を前記下フランジと共に保持する環状の上フランジと、を備え、前記ハブと前記下フランジと前記上フランジとを一体成形したことを特徴とする。
【０００８】
請求項１に記載の発明では、ハブと下フランジと上フランジとを一体成形することで、リールを組み立てる手間が省け、作業工数を削減することができると共に、部品点数も少なくなるため、コストダウンを図ることができる。また、上フランジ及び下フランジを一枚の板材で形成しているため、剛性も十分に確保することができる。
【０００９】
さらに、上フランジをハブに溶着させる場合、上フランジとハブとの接合部は、溶着しろが溶融した部分のみであるが、上フランジとハブとを一体成形させることで、上フランジとハブとの接合部（連接部）の面積を大幅に増やすことができる。
【００１０】
これにより、ハブの強度が増大し、記録テープの巻き締りによるハブの変形及び該ハブの変形に追従して変形するフランジの変形を抑制することが可能となる。また、ハブと上フランジ、ハブと下フランジの接合状態（連接状態）が同じであるため、上フランジ側と下フランジ側とで記録テープへ与える力を均等化することができる。
【００１１】
請求項２に記載の発明は、リールにおいて、前記ハブの軸方向に対して直交する方向に沿ってスライドし、ハブの外周面と前記上フランジ及び前記下フランジの内面を形成するスライド金型と、前記ハブの内周面及び前記上フランジの外面を形成する可動金型と、前記ハブの底面及び前記下フランジの外面を形成する固定金型と、で構成された金型で成形されることを特徴とする。
【００１２】
請求項２に記載の発明では、リールを成形する金型において、ハブの内周面及び上フランジの外面を可動金型で成形し、下フランジの外面を固定金型で成形する。そして、ハブの軸方向に対して直交する方向に沿ってスライドするスライドコアを設け、ハブの外周面と上フランジ及び下フランジの内面を成形する。
【００１３】
以上のような構成により、ハブと下フランジと上フランジとを一体成形することが可能となる。
【００１４】
請求項３に記載の発明は、記録テープカートリッジにおいて、請求項１又は２に記載のリールを備えたことを特徴とする。
【００１５】
請求項３に記載の発明では、請求項１又は２に記載の発明の効果と略同一の効果を得ることができる。
【発明の効果】
【００１６】
本発明は上記構成としたので、リールを組み立てる手間が省け、作業工数を削減することができると共に、部品点数も少なくなるため、コストダウンを図ることができる。また、上フランジ及び下フランジを一枚の板材で形成しているため、剛性も十分に確保することができる。さらに、上フランジをハブに溶着させる場合、上フランジとハブとの接合部は、溶着しろが溶融した部分のみであるが、上フランジとハブとを一体成形させることで、上フランジとハブとの接合部（連接部）の面積を大幅に増やすことができる。これにより、ハブの強度が増大し、記録テープの巻き締りによるハブの変形及び該ハブの変形に追従して変形するフランジの変形を抑制することが可能となる。また、ハブと上フランジ、ハブと下フランジの接合状態（連接状態）が同じであるため、上フランジ側と下フランジ側とで記録テープへ与える力を均等化することができる。
【発明を実施するための最良の形態】
【００１７】
本発明の実施形態に係るリール１０について図１又は図２に基づいて説明する。先ず、リール１０が適用された記録テープカートリッジ１２の該略全体構成を説明し、次いでリール１０を詳細に説明することとする。なお、説明の便宜上、矢印Ａで示す記録テープカートリッジ１２のドライブ装置への装填方向を前方向（前側）とし、矢印Ａと直交する矢印Ｂ、矢印Ｃ方向をそれぞれ右方向、上方向とする。
【００１８】
（記録テープカートリッジの構成）
図１には記録テープカートリッジ１２の分解斜視図が示されている。記録テープカートリッジ１２は、平面視で略矩形状のケース１４内に、情報記録再生媒体である記録テープとしての磁気テープＴを巻装した単一のリール１０を回転可能に収容して構成されている。
【００１９】
ケース１４の右側壁の前端部には、磁気テープＴをケース１４外に引き出すための開口１６が設けられている。この開口１６は、記録テープカートリッジ１２（磁気テープＴ）の不使用時にはドア１８によって閉塞され、記録テープカートリッジ１２の使用時にはドライブ装置内で開放されるようになっている。
【００２０】
また、磁気テープＴの先端には、リーダ部材であるリーダピン２０が取り付けられている。このリーダピン２０は、小円柱状に形成されており、磁気テープＴの幅方向端部よりも上下に突出する長手方向両端にそれぞれ設けられたフランジ部２０Ａが、ドライブ装置の引出部材に引掛けられて磁気テープＴをケース１４から引き出させるようになっている。
【００２１】
ケース１４は、上ケース２２と下ケース２４とを接合して構成されている。上ケース２２は、平面視略矩形状の天板２２Ａの外縁に沿って略枠状の周壁２２Ｂが立設されて構成されており、下ケース２４は、天板２２Ａに略対応した形状の底板２４Ａの外縁に沿って周壁２４Ｂが立設されて構成されている。そして、ケース１４は、周壁２２Ｂの開口端と周壁２４Ｂの開口端とを突き当てた状態で、超音波溶着やビス止め等によって上ケース２２と下ケース２４とが接合されて、略箱状に形成されている。
【００２２】
開口１６は、側面視で略矩形状に形成され、ケース１４における矢印Ａ方向に沿う右側壁１４Ａ（周壁２２Ｂと周壁２４Ｂとで構成されるケース１４の右向き壁）における前端で右向きに開口している。天板２２Ａ及び底板２４Ａには、それぞれ直立したリーダピン２０のフランジ部２０Ａを収容するピン受け凹部２６が設けられている。各ピン受け凹部２６は、開口１６の前端近傍で右向きにも開口しており、開口１６を経由したリーダピン２０のケース１４に対する出入りを可能としている。
【００２３】
また、ケース１４の前端近傍には、板ばね２８が取り付けられており、板ばね２８には上下一対のアーム２８Ａが設けられている。板ばね２８は、各アーム２８Ａの先端をリーダピン２０のフランジ部２０Ａに係合させてリーダピン２０をケース１４に対し保持するようになっている。この保持状態は、リーダピン２０を所定値以上の力で右方に引張ることで解除される構成である。
【００２４】
この開口１６を開閉するドア１８は、単独で開口１６を閉塞可能な略矩形平板状に形成されている。ドア１８の上下の端部は、開口１６の開放面及び右側壁１４Ａに沿って天板２２Ａ及び底板２４Ａに設けられたガイド溝３０に摺動可能に入り込んでいる。
【００２５】
これにより、ドア１８は、ガイド溝３０に案内されつつ前後方向にスライドすることで、開口１６を閉塞する閉塞位置と、開口１６を開放する開放位置とを選択的に取り得る構成とされている。そして、ドア１８は、ケース１４との間に設けられた付勢部材であるコイルばね３２によって前方に付勢されており、通常はこの付勢力によって閉塞位置に位置するようになっている。ドア１８の前端には、操作部１８Ａが右方に張り出して設けられており、この操作部１８Ａを後方に押圧することで、コイルばね３２の付勢力に抗してドア１８を開放位置に移動することができるようになっている。
【００２６】
また、ケース１４の底板２４Ａの中央部には、リール１０の後述するリールギヤ５０（図２参照）を露出するためのギヤ開口３４が設けられている。リール１０は、リールギヤに噛み合わされたドライブ装置の駆動ギヤが回転することで、ケース１４内で非接触で回転駆動される構成である。
【００２７】
さらに、ケース１４には、ギヤ開口３４と同軸的な円周に沿って天板２２Ａ及び底板２４Ａから部分的に立設されると共に上下端を突き合わせて構成された誘導規制壁３６を備えている。誘導規制壁３６は、リール１０のガタつきを抑えると共に、端部を周壁２２Ｂ、２４Ｂに連続させてリール１０の設置領域に塵芥等が進入することを防止する構成とされている。
【００２８】
また、ケース１４内における右後角隅部には、各記録テープカートリッジ１２毎に、その各種情報を記憶されたメモリボードＭが設置されている。メモリボードＭは、下面側から通信するドライブ装置、及び背面側から通信するライブラリ装置との各通信を可能とするために、支持面である上縁が所定角度（この実施形態では４５°）前傾した一対の支持リブ３８によって、底板２４Ａに対し略４５°傾斜して支持されている。
【００２９】
（リールの構成）
図２には、リール１０の断面図が示されている。このリール１０は、軸心部を構成する略円筒状のハブ４０を備えている。ハブ４０は、外周面に磁気テープＴが巻き回される円筒部４２と、該円筒部４２の下部を閉塞する底部４４（ハブ４０の他端側）とを有している。
【００３０】
ハブ４０の底部４４の外周からは、下フランジ４６が径方向外側へ向かって同軸的かつ一体に張り出している。一方、ハブ４０の上端部には、外径が下フランジ４６の外径と同径とされた上フランジ４８がハブ４０と一体に設けられている。
【００３１】
これにより、リール１０は、下フランジ４６と上フランジ４８との間で、円筒部４２（ハブ４０）の外周面に磁気テープＴを巻き回す構成とされている。そして、下フランジ４６及び上フランジ４８は、ハブ４０に巻き回された磁気テープＴの幅方向（ハブ４０の軸線方向）への位置ずれを規制するようになっている。
【００３２】
一方、ハブ４０の底部４４における外面（下面）の外周近傍には、環状に形成されたリールギヤ５０が設けられている。このリールギヤ５０は、ケース１４のギヤ開口３４から露出され、ドライブ装置の回転シャフトに対し軸線方向に沿って相対移動することで、該回転シャフトの先端に設けられた駆動ギヤに対する噛み合い及び噛み合いの解除が可能とされている。
【００３３】
さらに、ハブ４０の内側には、磁気テープＴの不使用時にリール１０の回転を阻止するための図示しないロック機構が設けられるようになっている。ロック機構は、ケース１４に対し回り止めされたロック部材を有し、このロック部材をリール１０の底部４４に対して接離可能に支持している。
【００３４】
また、ロック部材は、底部４４に対する接離によって、該底部４４の係合部（図示省略）に係合してリール１０のケース１４に対する回転を阻止する回転ロック位置と、該係合状態を解除してリール１０の回転を許容する解除位置とを取り得る構成である。
【００３５】
このため、底部４４にはロック部材が係合する係合部が設けられると共に、ドライブ装置のロック解除部材が外部からロック部材を操作するための操作孔５４が形成されている。この実施形態では、操作孔５４がリールギヤ５０の形成部位に設けられた構成を例示しているが、例えば、底部４４の軸心部に操作孔５４を設けても良い。
【００３６】
以上説明したように、ハブ４０の底部４４は、リールギヤ５０が形成されてドライブ装置から回転力が伝達される機能、不使用時にケース１４のギヤ開口３４を閉塞する機能、ロック部材を係合させリール１０のケース１４に対する回転を阻止する機能等をそれぞれ果たすようになっている。
【００３７】
次に、本発明の実施形態の作用について説明する。
【００３８】
図１及び図２に示すリール１０は、磁気テープＴに情報を記録する際、又は磁気テープＴに記録された情報を再生する際に記録テープカートリッジ１２がドライブ装置に装填されると、ケース１４に対する回転ロックが解除され、そのリールギヤ５０に駆動ギヤを噛み合わせた回転シャフトが回転することでケース１４内で回転する。
【００３９】
このとき、すでに開口１６から取出されたリーダピン２０がドライブ装置の巻取リールに保持されており、この巻取リールがリール１０と同期して回転することによって、磁気テープＴがケース１４から順次引き出される。そして、所定のテープ経路に沿って配設された記録再生ヘッドが磁気テープＴに情報を書き込み、又は磁気テープＴに記録されている情報を読み取る。磁気テープＴの使用後には、リール１０は、磁気テープＴを巻き取り初期状態に復帰する。
【００４０】
ところで、本形態では、ハブ４０と上フランジ４８と下フランジ４６とを一体成形している。具体的には、図３（Ａ）、（Ｂ）に示すように、リール１０を成形する金型６０において、ハブ４０の内周面及び上フランジ４８の外面を可動金型６２で成形し、ハブ４０の底部４４及び下フランジ４６の外面を固定金型６４で成形する。そして、ハブ４０の軸方向に対して直交する方向に沿ってスライドするスライドコア６６を設け、ハブ４０の外周面を二分し、ハブ４０の外周面と上フランジ４８及び下フランジ４６の内面を成形する。
【００４１】
以上のような構成により、ハブ４０と下フランジ４６と上フランジ４８とを一体成形することが可能となる。
【００４２】
このように、ハブ４０と下フランジ４６と上フランジ４８とを一体成形することで、リール１０を組み立てる手間が省け、作業工数を削減することができると共に、部品点数も少なくなるため、コストダウンを図ることができる。また、上フランジ４８及び下フランジ４６を一枚の板材で形成しているため、剛性も十分に確保することができる。
【００４３】
さらに、図４（Ａ）に示すように、上フランジ７０をハブ７２に溶着させる場合、上フランジ７０とハブ７２との接合部は溶着しろ７６が溶融した部分のみであるが、図４（Ｂ）に示すように、上フランジ４８とハブ４０とを一体成形することで、上フランジ４８とハブ４０との接合部（連接部）７８の面積を大幅に増やすことができる。
【００４４】
これにより、ハブ４０の強度が増大し、図５に示すように、磁気テープＴの巻き締りによるハブ４０の変形及び、ハブ４０に追従して変形する上フランジ４８及び下フランジ４６の変形を抑制することができる。また、ハブ４０と上フランジ４８、ハブ４０と下フランジ４６の連接状態が同じであるため、上フランジ４８側と下フランジ４６側とで磁気テープＴへ与える力を均等化することができる。
【００４５】
なお、上記各実施形態では、単一のリールをケース１４内に収容して構成される記録テープカートリッジ１２にリール１０を適用した例を示したが、本発明はこれに限定されず、例えば、２つのリールをケース内に収容した２リールタイプの記録テープカートリッジにリール１０を適用しても良い。
【図面の簡単な説明】
【００４６】
【図１】本発明の実施の形態に係る記録テープカートリッジの全体構成を示す分解斜視図である。
【図２】本発明の実施の形態に係るリールを示す断面図である。
【図３】（Ａ）、（Ｂ）は、本発明の実施の形態に係るリールを成形する金型構造を示す概略断面図である。
【図４】（Ｂ）は本発明の実施の形態に係るリールを示す斜視図であり、（Ａ）は（Ｂ）との比較例を示す分解斜視図である。
【図５】リールの変形状態を示す説明図である。
【符号の説明】
【００４７】
１０      リール
１２      記録テープカートリッジ
４０      ハブ
４６      下フランジ
４８      上フランジ
６０      金型
６２      可動金型
６４      固定金型
６６      スライドコア
【図１】
2007066466.tif 000003
【図２】
2007066466.tif 000004
【図３】
2007066466.tif 000005
【図４】
2007066466.tif 000006
【図５】
2007066466.tif 000007